(57)【要約】【課題】水道メータの交換時等に、給水管内の濁水の観察を容易に行うことのできる排水器具を提供する。【解決手段】水道の給水管１に接続した水道メータ３の着脱交換時に使用する排水器具１３であって、前記水道メータ３に代えて前記給水管１に接続するために、前記給水管１への接続部１７Ａ，１７Ｂを両端部に備えたパイプ本体１５の少なくとも上流端側に開口部を備え、このパイプ本体１５の適宜位置に、排水用ホース１９を接続するために排水口２１Ａを備えた排水接続部２１を備えると共に、前記パイプ本体１５内の濁水を確認するための透明部を前記パイプ本体１５に備えており、前記パイプ本体１５は上流端側及び下流端側に互いに連通した開口部を備えたパイプであり、前記下流端側の開口部及び前記排水口を開閉可能に構成してある。【選択図】図１
2009174189.tif 000002
【特許請求の範囲】
【請求項１】
水道の給水管に接続した水道メータの着脱交換時に使用する排水器具であって、前記水道メータに代えて前記給水管に接続するために、前記給水管への接続部を両端部に備えたパイプ本体の少なくとも上流端側に開口部を備え、このパイプ本体の適宜位置に、排水用ホースを接続するために排水口を備えた排水接続部を備えると共に、前記パイプ本体内の濁水を確認するための透明部を前記パイプ本体に備えていることを特徴とする排水器具。
【請求項２】
請求項１に記載の排水器具において、前記パイプ本体は上流端側及び下流端側に互いに連通した開口部を備えたパイプであり、前記下流端側の開口部及び前記排水口を開閉可能に構成してあることを特徴とする排水器具。
【発明の詳細な説明】
【技術分野】
【０００１】
本発明は、水道の給水管に接続された水道メータの着脱交換時に、水道メータの代わりに前記給水管に接続して、給水管内の濁り水を排水するために使用する排水器具に関する。
【背景技術】
【０００２】
水道に使用する水道メータは、計量法の定めによって８年毎に新しい水道メータに着脱交換されている。前記水道メータは、図２に示すように、給水管に接続されているのが一般的である(特許文献１参照)。
【特許文献１】特開２００５−２１４９５１号公報
【発明の開示】
【発明が解決しようとする課題】
【０００３】
給水管１に対する水道メータ３の接続は、図２に示すように行われている。すなわち、給水管１の上流側に配置した開閉弁５の下流側に、袋ナットなどからなるメータ接続用のソケット７，９を介して前記水道メータ３の上流側端と下流側端が着脱可能に接続してある。そして、前記水道メータ３の下流側には逆流防止弁１１が接続してある。
【０００４】
前記構成において、水道メータ３の着脱交換を行う場合に生じた濁水を排出する場合や、水道メータ３を取り外し、この位置から排水することによって給水管１内を洗浄する場合には、前記開閉弁５を締付けて給水管１内の水流を遮断した後、前記ソケット７，９を緩めて水道メータ３を取り外す。その後、上流側のソケット７に排水管などの一端部を接続し、上記排水管の他端部をマンホールなどに配置する。そして、前記開閉弁５を緩めて水を流すことによって給水管１内の濁水を排出するものである。
【０００５】
上述のごとく濁水の排出を行うとき、従来は排水管の他端部から排出される濁水の状態を観察して濁水の排出が終了したか否かの確認を行っている。したがって、給水管１の水道メータ取付け位置と排水管の他端部の配置位置とが近い場合には、濁水の状態の観察は比較的容易であるものの、前記水道メータ取付位置と排水管の他端部の配置位置とが遠く離れている場合には、濁水の状態を観察するために、水道メータの取付位置と排水管の他端部の配置位置との間を何回も往復動する必要があり、能率が悪いという問題がある。
【課題を解決するための手段】
【０００６】
本発明は、前述のごとき従来の問題に鑑みてなされたもので、水道の給水管に接続した水道メータの着脱交換時に使用する排水器具であって、前記水道メータに代えて前記給水管に接続するために、前記給水管への接続部を両端部に備えたパイプ本体の少なくとも上流端側に開口部を備え、このパイプ本体の適宜位置に、排水用ホースを接続するために排水口を備えた排水接続部を備えると共に、前記パイプ本体内の濁水を確認するための透明部を前記パイプ本体に備えていることを特徴とするものである。
【０００７】
また、前記排水器具において、前記パイプ本体は上流端側及び下流端側に互いに連通した開口部を備えたパイプであり、前記下流端側の開口部及び前記排水口を開閉可能に構成してあることを特徴とするものである。
【発明の効果】
【０００８】
本発明によれば、水道メータに代えて給水管に接続するパイプ本体に、排水用ホースを接続するための排水接続部を備えると共に、パイプ本体内の濁水を確認するための透明部を備えた構成であるから、水道メータに代えて給水管に接続したパイプ本体を利用して濁水の排出を行うとき、透明部を介して濁水を観察することができるものである。したがって、濁水の観察を能率よく行うことができ、前述したごとき従来の問題を解決することができるものである。
【発明を実施するための最良の形態】
【０００９】
以下、図面を用いて本発明の実施形態について説明するに、前述した従来の構成と同一機能を奏する構成要素には同一符号を付することとして重複した説明は省略する。
【００１０】
前記給水管１におけるメータ接続用のソケット７，９を緩めて取り外した水道メータ３に代えて給水管１に接続される排水器具１３は、透明な樹脂から形成されたパイプ本体１５を備えており、このパイプ本体１５の両端部には、前記給水管１に接続するための接続部１７Ａ，１７Ｂが形成してある。上記接続部１７Ａ，１７Ｂは、ソケット７，９を介して接続するために、雄ねじ部に形成してある。しかし、水道メータ３の着脱機構などをユニット化して、ソケット７，９等を使用することなく水道メータ３の着脱を行う場合には、その着脱機構に対応した接続部の構成とすればよいものである。
【００１１】
前記パイプ本体１５は上流端側に開口部を備えた構成であって、下流端側は予め閉じた構成であってもよく、また上流端側の前記開口部に連通した開口部を下流端側に備えた構成であってもよいが、下流端側に開口部を備えた構成であることが望ましい。前記パイプ本体１５の適宜位置には、排水用ホース１９を接続するために、排水口２１Ａを備えた排水接続部２１が備えられている。前記パイプ本体１５に流入した濁水は前記排水接続部２１から排水用ホース１９を経て排出されるものであるから、前記パイプ本体１５を不透明として排水接続部２１の部分を透明とすることも可能である。
【００１２】
すなわち、パイプ本体１５内の濁水の状態を観察するには、少なくともパイプ本体１５の一部を透明にすればよいものである。
【００１３】
以上のごとき構成において、水道の給水管１に対して水道メータ３の着脱交換を行う場合や、水道メータ３を取り外して給水管１内を洗浄する場合には、先ず、開閉弁５を締付けて給水管１内の水流を遮断した後、ソケット７，９を緩めて水道メータ３を取り外す。次に、前記水道メータ３に代えて前記パイプ本体１５の両端部の接続部１７Ａ，１７Ｂを前記ソケット７，９を介して給水管１に螺合，接続する。ここで、前記パイプ本体１５の下流端側に開口部を備えた構成の場合には、パイプ本体１５の下流端側に閉鎖部材としてのパッキン２３を介して下流端側の開口部を閉じた状態とする。
【００１４】
さらに、排水接続部２１に、例えばフレキシブル管などからなる排水用ホース１９の一端部を接続し、この排水用ホース１９の他端部を例えばマンホールなどの排水場所に位置決めする。その後、開閉弁５を緩めると、給水管１内の水はパイプ本体１５，排水用ホース１９を経て排水場所に排水されることになる。
【００１５】
したがって、水道メータ３の取外し作業時に給水管１内の剥離したスケールなどによる濁水や、給水管１の洗浄時に生じた濁水の状態を、透明なパイプ本体１５の位置において観察することができる。よって、濁水が除去された後、前記開閉弁５を閉じ、前記ソケット７，９を緩めてパイプ本体１５を取り外す。その後、新しい別個の水道メータを取り付けることができるものである。
【００１６】
ところで、前述のごとく、水道メータ３に代えてパイプ本体１５を取付けるとき、排水中の濁水から異物採取の必要があるような場合には、前記パイプ本体１５の上流端側の開口部にストレーナ２５を装着してパイプ本体１５のソケット７とを接続すればよいものである。
【００１７】
また、前記パイプ本体１５の下流側の給水管１内を洗浄する必要があるときには、前記排水用ホース１９と排水接続部２１との間に閉鎖用のパッキン２７を介在して排水接続部２１と排水用ホース１９とを接続する。そして、パイプ本体１５の下流端側とソケット９は、前記パッキン２３を取り外した状態において接続する。この様な状態において、開閉弁５を緩めて開くと、給水管１内の水は排水用ホース１９側へ流入することなく、パイプ本体１５より下流側の給水管１に流入する。したがって、パイプ本体１５よりも下流側の給水管１の洗浄を行うことができるものである。この際、パイプ本体１５より上流側の給水管も同時に洗浄することができ、下流端の蛇口から濁水を排出することができるものである。
【００１８】
以上のごとき説明より理解されるように、水道メータ３に代えて給水管１に取付けるパイプ本体１５が透明であることにより、給水管１内の濁水の観察を容易に行い得るものである。また、前記パイプ本体１５を給水管１に取付けるときには、両端支持の状態で取付けるので、片持式の場合に比較して振動の発生を防止することができ、取付け強度の向上を図ることができるものである。
【図面の簡単な説明】
【００１９】
【図１】水道メータに代えて給水管に取付ける排水器具の説明図である。
【図２】給水管に対する水道メータの一般的な取付構成を示す説明図である。
【符号の説明】
【００２０】
１    給水管
３    水道メータ
５    開閉弁
７，９    ソケット
１１    逆流防止弁
１３    排水器具
１５    パイプ本体
１７Ａ，１７Ｂ    接続部
１９    接続用ホース
２１    排水接続部  
【図１】
2009174189.tif 000003
【図２】
2009174189.tif 000004